(57)【特許請求の範囲】
【請求項１】
液晶層を挟持して対向配置された一対の基板を有し、前記一対の基板のうちの一方には、
表示領域にマトリクス状に配置された複数の走査線及び信号線と、
前記表示領域の周縁部に沿って形成されたコモン引き回し配線と、
少なくとも表示領域の全体に亘って形成された層間樹脂膜と、
前記層間樹脂膜の表面に、電極間絶縁膜を挟んで互いに対向配置された透明導電性材料からなる下電極及び上電極が形成され、
前記上電極は、平面視で前記表示領域の前記走査線及び前記信号線で行方向及び列方向に区画された複数の画素領域毎に複数のスリットが形成されており、
前記上電極及び前記下電極の一方は、前記表示領域の全面に跨って形成されていると共に、前記コモン引き回し配線と電気的に接続されて共通電極として作動する液晶表示パネルであって、
前記表示領域には、前記走査線に平行に遮光性の金属材料からなるコモン線が形成され、前記上電極及び前記下電極のうち共通電極として作動する側はコンタクトホールを経て前記コモン線に電気的に接続されていると共に、前記コモン線は前記表示領域の周辺部で前記コモン引き回し配線と電気的に接続され、
前記コモン線は、前記上電極及び前記下電極のうち共通電極として作動する側と電気的に接続され、前記列方向に延設した接続部を有し、
前記行方向及び前記列方向のそれぞれに関して、前記接続部の幅は、前記コンタクトホールの最大幅よりも広く、
前記接続部は、平面視で前記コンタクトホールと重畳する位置に、前記コンタクトホールの開口部を遮光するように形成されていることを特徴とする液晶表示パネル。
【請求項２】
前記コモン線と前記共通電極の間には、平面視で前記コンタクトホールと重畳する位置に、少なくとも１つの中継端子が形成され、前記上電極及び前記下電極のうち共通電極として作動する側は、前記中継端子に電気的に接続されて前記中継端子を経て前記コモン線と電気的に接続されていることを特徴とする請求項１に記載の液晶表示パネル。
【請求項３】
前記中継端子は前記信号線と同一層に形成されていることを特徴とする請求項２に記載の液晶表示パネル。
【請求項４】
前記上電極及び前記下電極のうち共通電極として作動する側と前記中継端子との間の接続部及び前記中継端子と前記コモン線との間の接続部は平面視で重畳していないことを特徴とする請求項２に記載の液晶表示パネル。
【請求項５】
前記中継端子は、不透明な導電性材料からなり、平面視で前記コンタクトホールの開口部を遮光するように形成されていることを特徴とする請求項２に記載の液晶表示パネル。
【請求項６】
前記上電極には、液晶分子の回転方向が互いに逆になる第１スリット状開口領域及び第２スリット状開口領域が形成され、前記コモン線は前記第１、第２スリット状開口領域の境界に形成されていることを特徴とする請求項１〜５の何れか１項に記載の液晶表示パネル。
【発明の詳細な説明】
【技術分野】
【０００１】
本発明は、横電界方式の液晶表示パネル、特に、上電極あるいは下電極が表示領域の全
サブ画素に跨って形成されるとともに共通電極として作動するＦＦＳ（Fringe Field Swi
tching）モードの液晶表示パネルに関する。
【背景技術】
【０００２】
液晶表示パネルはＣＲＴ（陰極線管）と比較して軽量、薄型、低消費電力という特徴が
あるため、表示用として多くの電子機器に使用されている。液晶表示パネルは、所定方向
に整列した液晶分子の向きを電界により変えて、液晶層の光の透過量を変化させて画像を
表示させるものである。これには、外光が液晶層に入射し、反射板で反射されて再び液晶
層を透過して出射される反射型のものと、バックライト装置からの入射光が液晶層を透過
する透過型のものと、その両方の性質を備えた半透過型のものとがある。また、液晶表示
パネルにはモノクロ表示型のものカラー表示型のものが存在している。カラー表示型の液
晶表示パネルの１画素の色は、例えば、Ｒ（赤）、Ｇ（緑）、Ｂ（青）の光３原色のカラ
ーフィルターを個別に備えている各サブ画素を透過した光の混色によって定まる。
【０００３】
また、液晶表示パネルの液晶層に電界を印加する方法として、縦電界方式のものと横電
界方式のものとがある。縦電界方式の液晶表示パネルは、液晶層を挟んで対向配置される
一対の電極により、概ね縦方向の電界を液晶分子に印加するものである。この縦電界方式
の液晶表示パネルとしては、ＴＮ（Twisted Nematic）モード、ＶＡ（Vertical Alignmen
t）モード、ＭＶＡ（Multi-domain Vertical Alignment）モード、ＥＣＢ（Electrically
Controlled Birefringence）モード等のものが知られている。横電界方式の液晶表示パ
ネルは、液晶層を挟んで配置される一対の基板のうちの一方の液晶層側に一対の電極が互
いに絶縁して設けられており、概ね横方向の電界を液晶分子に対して印加するものである
。この横電界方式の液晶表示パネルとしては、一対の電極が平面視で重ならないＩＰＳ（
In-Plane Switching）モードのものと、重なるＦＦＳモードのものとが知られている。横
電界方式の液晶表示パネルは広い視野角を得ることができるという効果があるので、近年
、多く用いられるようになってきている。
【０００４】
ＩＰＳモードの液晶表示パネルは、一対の電極が同一層に設けられているため、画素電
極の上側に位置する液晶分子は十分に駆動されず、しかも、低開口率及び低透過率となる
という問題点が存在する。そこで、下記特許文献１及び特許文献２に開示されているよう
なＦＦＳモードの液晶表示パネルが開発された。下記特許文献１に開示されているＦＦＳ
モードの液晶表示パネルは、下電極が共通電極として作動し、その共通電極はサブ画素毎
に分離して形成されている。そして、画素電極の駆動用薄膜トランジスターＴＦＴ（Thin
Film Transistor）のゲート電極に接続されている走査線と並行且つ同一の層にコモン線
が形成され、そのコモン線に共通電極の一部が重なるように形成することにより、個々の
サブ画素の共通電極の配線が行われる。
【０００５】
このように、下記特許文献１に開示されているＦＦＳモードの液晶表示パネルの共通電
極はコモン線と重なるために段差が生じ、その段差が上電極に影響を与えるために段差に
対応する部分で液晶分子の配向が乱れることになる。このため、下記特許文献２に開示さ
れている液晶表示パネルでは、ＴＦＴ上及び下電極上に平坦化膜とも称される層間樹脂膜
が形成され、その層間樹脂膜上に画素電極として作動する下電極、電極間絶縁膜及び共通
電極として作動する上電極が順に形成されている。また、その共通電極は表示領域の全サ
ブ画素に跨って形成されており、下記特許文献１に開示されている液晶表示パネルよりも
開口率が大きく、コントラストが高くなるという特徴を有している。
【先行技術文献】
【特許文献】
【０００６】
【特許文献１】特開２００９−０３６８００号公報
【特許文献２】特開２００８−１８０９２８号公報
【発明の概要】
【発明が解決しようとする課題】
【０００７】
上記特許文献２の図３、図５に示されるように、表示領域の全サブ画素に跨って形成さ
れる共通電極としての上電極は、表示領域の周辺に形成されている非表示領域おいて、コ
ンタクトホールによってコモン引き回し配線と接続されている。このように、従来のＦＦ
Ｓモードの液晶表示パネルの共通電極としての上電極は、非表示領域でのみコモン引き回
し配線と接続されている。一方、上電極には各サブ画素毎にスリット状開口が形成されて
いるので、上電極を構成する透明導電材料の高抵抗性と相まって、共通電極としての抵抗
は大きくなる。このために、ＦＦＳモードの液晶表示パネルが大型化されると、共通電極
としての上電極の高抵抗性に起因して共通電極の電位が不安定となるので、フリッカーや
クロストークなどの特性不良をもたらすこととなる。かかる点は、下電極が共通電極とし
て作動される形式のＦＦＳモードの液晶表示パネルにおいても同様に生じる問題点である
。
【０００８】
本発明は、上述のような従来技術の問題点を解決すべくなされたものであって、表示領
域の全サブ画素に跨って形成される共通電極の抵抗を低くすることによって、フリッカー
やクロストークなどが生じ難く、表示画質が良好なＦＦＳモードの液晶表示パネルを提供
することを目的とする。
【課題を解決するための手段】
【０００９】
上記目的を達成するため、本発明の液晶表示パネルは、液晶層を挟持して対向配置された一対の基板を有し、前記一対の基板のうちの一方には、表示領域にマトリクス状に配置された複数の走査線及び信号線と、前記表示領域の周縁部に沿って形成されたコモン引き回し配線と、少なくとも表示領域の全体に亘って形成された層間樹脂膜と、前記層間樹脂膜の表面に、電極間絶縁膜を挟んで互いに対向配置された透明導電性材料からなる下電極及び上電極が形成され、前記上電極は、平面視で前記表示領域の前記走査線及び前記信号線で行方向及び列方向に区画された複数の画素領域毎に複数のスリットが形成されており、前記上電極及び前記下電極の一方は、前記表示領域の全面に跨って形成されていると共に、前記コモン引き回し配線と電気的に接続されて共通電極として作動する液晶表示パネルであって、前記表示領域には、前記走査線に平行に遮光性の金属材料からなるコモン線が形成され、前記上電極及び前記下電極のうち共通電極として作動する側はコンタクトホールを経て前記コモン線に電気的に接続されていると共に、前記コモン線は前記表示領域の周辺部で前記コモン引き回し配線と電気的に接続され、前記コモン線は、前記上電極及び前記下電極のうち共通電極として作動する側と電気的に接続され、前記列方向に延設した接続部を有し、前記行方向及び前記列方向のそれぞれに関して、前記接続部の幅は、前記コンタクトホールの最大幅よりも広く、前記接続部は、平面視で前記コンタクトホールと重畳する位置に、前記コンタクトホールの開口部を遮光するように形成されていることを特徴とする。
【００１０】
ＦＦＳモードの液晶表示パネルにおいては、上電極及び下電極の一方は、表示領域の全
サブ画素に跨って形成されて、共通電極として作動するものが存在する。従来、このよう
な構成の液晶表示パネルでは、共通電極は、非表示領域でのみコモン引き回し配線と電気
的に接続されている。このために、表示領域が広い中型ないし大型の液晶表示パネルでは
、ＩＴＯないしＩＺＯ等の透明導電性材料からなる共通電極の抵抗が非常に大きくなって
フリッカーやクロストークなどの特性不良をもたらすことがある。この傾向は、上電極が
共通電極として作動するものでは、上電極にはスリット状開口が形成されているために上
電極の面積が小さくなるため、より大きく現れる。
【００１１】
本発明の液晶表示パネルでは、走査線に平行にコモン線を形成し、共通電極をこのコモ
ン線に電気的に接続すると共に、このコモン線を表示領域の周辺部でコモン引き回し配線
に電気的に接続するようにしている。そうすると、上電極及び下電極のうち共通電極とし
て作動する側は、表示領域の周辺部でコモン引き回し配線と電気的に接続されていると共
に、コモン線を経て表示領域の周辺部でコモン引き回し配線と電気的に接続されているこ
とになるので、共通電極との抵抗が小さくなる。なお、本発明の液晶表示パネルでは、表
示領域の周辺部でのコモン線とコモン引き回し配線との間の電気的接続は、信号線と同時
に形成される接続電極によってブリッジ接続することにより、容易に他の配線と電気的に
絶縁した状態で行うことができる。
【００１２】
また、本発明の液晶表示パネルにおいては、前記コモン線と前記共通電極の間には、平
面視で前記コンタクトホールと重畳する位置に、少なくとも１つの中継端子が形成され、
前記上電極及び前記下電極のうち共通電極として作動する側は、前記中継端子に電気的に
接続されて前記中継端子を経て前記コモン線と電気的に接続されていることが好ましい。
【００１３】
コンタクトホールは、形成方法の特性からして、貫通する層の厚さが厚くなるほどコン
タクトホールの開口部が大きくなる。特に、層間樹脂膜があるときは、層の厚さが厚くな
るので、コンタクトホールの開口が大きくなるため、液晶表示パネルの開口率が減少する
。本発明の液晶表示パネルでは、コモン線と共通電極の間に、平面視でコンタクトホール
と重畳する位置に、少なくとも１つの中継端子を形成し、コンタクトホールが貫通する層
が薄くなるようにしてコンタクトホールの開口の大きさを小さくできるようにしている。
そのため、本発明の液晶表示パネルでは、コンタクトホールの開口の大きさを減少させる
ことができるので、コンタクトホールに起因する開口率の減少を低減することができるよ
うになる。
【００１４】
また、本発明の液晶表示パネルにおいては、前記中継端子は前記信号線と同一層に形成
されていることが好ましい。
【００１５】
本発明の液晶表示パネルによれば、信号線と中継端子とを同時に形成することができる
ため、製造工程を増加することなく中継端子を形成することができる。
【００１６】
また、本発明の液晶表示パネルにおいては、前記上電極及び前記下電極のうち共通電極
として作動する側と前記中継端子との間の接続部及び前記中継端子と前記コモン線との間
の接続部は平面視で重畳していないことが好ましい。
【００１７】
本発明の液晶表示パネルでは、上電極及び下電極のうち共通電極として作動する側はコ
ンタクトホールを経てコモン線に電気的に接続されている。そして、本発明の液晶表示パ
ネルにおいては、上電極及び下電極のうち共通電極として作動する側と中継端子との間の
接続部及び中継端子とコモン線との間の接続部を平面視で重畳していないようにしている
ので、コンタクトホールが貫通しなければならない層の厚さが薄くなるため、コンタクト
ホールの開口面積を減らすことができる。加えて、中継端子とコモン線との間の電気的接
続を行うための接続部では、この接続部を形成するために必要な面積を減らすことができ
る。そのため、本発明の液晶表示パネルによれば、上電極及び下電極のうち共通電極とし
て作動する側と中継端子との間の接続部及び中継端子とコモン線との間の接続部を形成す
るために必要な面積が減るため、これらの接続部による開口率の低下を抑制することがで
きるようになる。
【００１８】
しかも、本発明の液晶表示パネルは、上電極及び下電極のうち共通電極として作動する
側と中継端子との間の接続部と中継端子とコモン配線との間の接続部の位置が平面視で重
畳している場合にも適用できるが、この重畳領域が部分的であると、この重畳領域におい
て共通電極側に凹部が形成される。この共通電極側の凹部は、リカバリー不良が生じやす
いので、断線の恐れがある。本発明の液晶表示パネルによれば、上電極及び下電極のうち
共通電極として作動する側と中継端子との間の接続部と中継端子とコモン配線との間の接
続部の位置が平面視で重畳していないため、共通電極側に小さな凹凸が生じ難くなり、共
通電極側の断線不良が生じ難くなる。
【００１９】
また、本発明の液晶表示パネルにおいては、前記コモン線は、平面視で前記コンタクト
ホールを重畳する位置では、前記コンタクトホールの開口部を遮光するように形成されて
いることが好ましい。
【００２０】
コンタクトホールの開口部は液晶分子の配向不良を生じる。本発明の液晶表示パネルに
よれば、不透明なコモン線によってコンタクトホールの開口部を遮光することにより、配
向不良が生じる領域が外部から視認できなくなるため、表示画質が良好な液晶表示パネル
が得られる。
【００２１】
また、本発明の液晶表示パネルにおいては、前記中継端子は、不透明な導電性材料から
なり、平面視で前記コンタクトホールの開口部を遮光するように形成されていることが好
ましい。
【００２２】
コンタクトホールの開口部は液晶分子の配向不良を生じる。本発明の液晶表示パネルに
よれば、不透明な中継端子でコンタクトホールを覆うことにより、コンタクトホールの開
口部を遮光することにより、配向不良が生じる領域が外部から視認できなくなるため、表
示画質が良好な液晶表示パネルが得られる。
【００２３】
また、本発明の液晶表示パネルにおいては、前記上電極には、液晶分子の回転方向が互
いに逆になる第１スリット状開口領域及び第２スリット状開口領域が形成され、前記コモ
ン線は前記第１、第２スリット状開口領域の境界に形成されていることが好ましい。
【００２４】
液晶分子の回転方向が互いに逆となる第１、第２スリット状開口領域の境界ではディス
クリネーションが生じ易い。本発明の液晶表示パネルでは、このようなディスクリネーシ
ョンが生じ易い領域を不透明なコモン線で遮光しているので、ディスクリネーションが生
じ易い領域が外部から視認できなくなるため、表示画質が良好な液晶表示パネルが得られ
る。
【図面の簡単な説明】
【００２５】
【図１】図１Ａは第１実施形態の液晶表示パネルの概要を示す平面図であり、図１Ｂは図１ＡのIB−IB線の断面図である。
【図２】第１実施形態の１サブ画素のアレイ基板の概要を示す平面図である。
【図３】図２のIII−III線の断面図である。
【図４】図２のIV−IV線の断面図である。
【図５】図２のＶ−Ｖ線の断面図である。
【図６】図６Ａは図１のアレイ基板のVIA−VIA線の断面図であり、図６Ｂは図１のアレイ基板のVIB−VIB線の断面図である。
【図７】第２実施形態の１サブ画素のアレイ基板の概要を示す平面図である。
【図８】図８Ａは図７のVIIIA−VIIIA線の断面図であり、図８Ｂは図７のVIIIB−VIIIB線の断面図である。
【図９】第３実施形態の１サブ画素のアレイ基板の概要を示す平面図である。
【図１０】図１０Ａは図９のXA−XA線の断面図であり、図１０Ｂは図１０Ａに対応する第４実施形態の断面図である。
【図１１】第５実施形態の１画素のアレイ基板の概要を示す平面図である。
【発明を実施するための形態】
【００２６】
以下、実施形態及び図面を参照して本発明を実施するための形態を説明するが、以下に
示す実施形態は、本発明をここに記載したものに限定することを意図するものではなく、
本発明は特許請求の範囲に示した技術思想を逸脱することなく種々の変更を行ったものに
も均しく適用し得るものである。
【００２７】
なお、ここで述べるアレイ基板及びカラーフィルター基板の「表面」とは各種配線が形
成された面ないしは液晶と対向する側の面を示すものとする。また、この明細書における
説明のために用いられた各図面においては、各層や各部材を図面上で認識可能な程度の大
きさとするため、各層や各部材毎に縮尺を異ならせて表示しており、必ずしも実際の寸法
に比例して表示されているものではない。
【００２８】
［第１実施形態］
第１実施形態に係る液晶表示パネル１０Ａを図１〜図６を用いて説明する。この液晶表
示パネル１０Ａは、図３に示すように、液晶層ＬＣがアレイ基板ＡＲ及びカラーフィルタ
ー基板ＣＦとの間に挟持されている。液晶層ＬＣは、図１Ｂに示すように、アレイ基板Ａ
Ｒとカラーフィルター基板ＣＦの間から漏れないようにシール材ＳＬによって封入され、
液晶層ＬＣの厚みは柱状スペーサー（図示省略）によって均一に維持されている。また、
アレイ基板ＡＲの背面及びカラーフィルター基板ＣＦの前面にはそれぞれ偏光板（図示省
略）が形成されている。そして、アレイ基板ＡＲの背面側からバックライト（図示省略）
により光が液晶表示パネル１０Ａに照射されている。図示省略したが、液晶表示パネル１
０Ａは表示領域ＤＡに行方向及び列方向に複数個ずつ整列した画素を有しており、１画素
は、例えばＲ（赤）・Ｇ（緑）・Ｂ（青）の３色のサブ画素１１（図２参照）で構成され
、これらの各色の光の混色で各画素の色が定められる。
【００２９】
アレイ基板ＡＲに形成されている各サブ画素１１は、図２に示すように、行方向に延在
するアルミニウムやモリブデン等の不透明な金属からなる走査線１２及びコモン線１３Ａ
と、列方向に延在するアルミニウムやモリブデン等の不透明な金属からなる信号線１４と
、走査線１２及び信号線１４の交差部近傍に配設されるＴＦＴを備えている。
【００３０】
図３〜図６に示すように、アレイ基板ＡＲは透明な絶縁性を有するガラスや石英、プラ
スチック等からなる第１透明基板１５を基体としている。第１透明基板１５上には、液晶
層ＬＣに面する側に、走査線１２とコモン線１３Ａが形成されている。図２に示すように
、走査線１２からはゲート電極Ｇが延設され、コモン線１３Ａからはコモン接続部１３Ａ
ａが延設されている。走査線１２とゲート電極Ｇを覆うようにして窒化ケイ素や酸化ケイ
素等からなる透明なゲート絶縁膜１６が積層されている。そして、平面視でゲート電極Ｇ
と重なるゲート絶縁膜１６上には非晶質シリコンや多結晶シリコンなどからなる半導体層
１７が形成されている。また、ゲート絶縁膜１６上にはアルミニウムやモリブデン等の金
属からなる複数の信号線１４が、図１の列方向に形成されている。これらの走査線１２及
び信号線１４によって区画された領域のそれぞれがサブ画素領域１１となる。この信号線
１４からはソース電極Ｓが延設され、このソース電極Ｓは半導体層１７の表面と部分的に
接触している。
【００３１】
さらに、信号線１４及びソース電極Ｓと同一の材料で同時に形成されたドレイン電極Ｄ
がゲート絶縁膜１６上に設けられており、このドレイン電極Ｄはソース電極Ｓと近接配置
されて半導体層１７の表面と部分的に接触している。Ｒ（赤）・Ｇ（緑）・Ｂ（青）の３
つのサブ画素１１で略正方形の１画素（図示省略）を構成するので、これを３等分するサ
ブ画素１１は走査線１２側が短辺で信号線１４側が長辺の長方形となる。ゲート電極Ｇ、
ゲート絶縁膜１６、半導体層１７、ソース電極Ｓ、ドレイン電極Ｄによってスイッチング
素子となるＴＦＴが構成され、それぞれのサブ画素１１内にこのＴＦＴが形成されている
。
【００３２】
さらに、信号線１４、ＴＦＴ及びゲート絶縁膜１６の露出部分を覆うようにして例えば
窒化ケイ素や酸化ケイ素等からなる透明なパッシベーション膜１８が積層されている。そ
して、パッシベーション膜１８を覆うようにして、例えばフォトレジスト等の透明樹脂材
料からなる層間樹脂膜１９が積層されている。この層間樹脂膜１９により信号線１４、Ｔ
ＦＴ及びゲート絶縁膜１６によるパッシベーション膜１８の凹凸面が平坦化される。そし
て、層間樹脂膜１９を覆うようにしてＩＴＯ（Indium Thin Oxide）ないしＩＺＯ（Indiu
m Zinc Oxide）等の透明導電性材料からなる下電極２０が形成されている。層間絶縁膜１
９とパッシベーション膜１８を貫通してドレイン電極Ｄに達する第１コンタクトホール２
１が形成されており、この第１コンタクトホール２１を介して下電極２０とドレイン電極
Ｄとが電気的に接続されている。そのため、下電極２０は画素電極として作動する。
【００３３】
下電極２０を覆うようにして、例えば窒化ケイ素や酸化ケイ素等からなる透明な電極間
絶縁膜２２が積層されている。そして、電極間絶縁膜２２を覆うようにしてＩＴＯないし
ＩＺＯ等の透明導電性材料からなる上電極２３が形成されている。そして、接続部Ａ１に
おいて、電極間絶縁膜２２、下電極２０、層間樹脂膜１９、パッシベーション膜１８及び
ゲート絶縁膜１６を貫通してコモン線１３Ａに達する第２コンタクトホール２４Ａが形成
されており、この第２コンタクトホール２４Ａを介して上電極２３とコモン線１３Ａとが
電気的に接続されている。そのため、上電極２３は共通電極として作動する。
【００３４】
なお、図４に示すように、表示領域の第２コンタクトホール２４Ａの凹部の行方向の最
大幅Ｗ１よりも接続部Ａ１のコモン線１３Ａの行方向の幅Ｗ２が広く（Ｗ１<Ｗ２）なっ
ている。また、図５に示すように、表示領域の第２コンタクトホール２４Ａの列方向の凹
部の最大幅Ｗ３よりも接続部Ａのコモン線１３Ａの列方向の幅Ｗ４が広く（Ｗ３<Ｗ４）
なっている。このように接続部Ａのコモン線１３Ａを平面視で第２コンタクトホール２４
Ａの凹部よりも広くなるように形成すると、接続部Ａのコモン線１３Ａは遮光性の金属材
料からなるので、第２コンタクトホール２４Ａの凹部による液晶分子の配向不良部分を遮
光することができるようになる。
【００３５】
上電極２３には、図２に示すように、複数のスリット状開口２５Ａが形成されている。
スリット状開口２５Ａは、電極間絶縁膜２２上にＩＴＯないしＩＺＯ等の透明導電性材料
を形成し、透明導電性材料の表面に塗布されたフォトレジスト材料を露光及び現像した後
、透明導電性材料をエッチングすることによって形成される。そして、上電極２３の表面
及びスリット状開口２５Ａを被覆するように、例えばポリイミドからなる第１配向膜（図
示省略）が積層されている。第１配向膜には例えば図２の右方向に走査線１２と平行な方
向にラビング処理が施されている。このラビング処理は微細な毛足を有したラビング布で
配向膜をこすることによって、一方向に沿った多数の微細な溝を配向膜に形成するもので
ある。ラビング処理の方向はスリット状開口２５Ａの延在方向に対して所定角α傾斜して
おり、これにより、液晶分子を一方向に回転させることができる。αは種々の条件により
異なるが、好ましくは３度〜１５度となるように選択される。
【００３６】
また、カラーフィルター基板ＣＦは、図３及び図５に示すように、透明な絶縁性を有す
るガラスや石英、プラスチック等からなる第２透明基板２７を基体としている。第２透明
基板２７の表面には、アレイ基板ＡＲの走査線１２、コモン線１３Ａ、接続部Ａ１、信号
線１４及びＴＦＴに対向する位置に、遮光性を有する金属や樹脂からなる遮光層２８が形
成され、サブ画素１１毎に異なる色の光（たとえば、Ｒ、Ｇ、Ｂあるいは無色）を透過す
るカラーフィルター層２９が形成されている。
【００３７】
そして、遮光層２８及びカラーフィルター層２９を覆うようにして例えばフォトレジス
ト等の透明樹脂材料からなるオーバーコート層３０が積層されている。このオーバーコー
ト層３０は異なる色のカラーフィルター層２９による段差を平坦にし、また、遮光層２８
やカラーフィルター層２９から流出する不純物が液晶層ＬＣに入らないように遮断するた
めに形成されている。そして、オーバーコート層３０を覆うようにして、例えばポリイミ
ドからなる第２配向膜（図示省略）が形成されている。第２配向膜には第１配向膜とは逆
方向のラビング処理が施されている。このようにして形成されたアレイ基板ＡＲ及びカラ
ーフィルター基板ＣＦを互いに対向させ、両基板の周囲にシール材ＳＬ（図１Ｂ参照）を
設けることにより両基板を貼り合せ、両基板間にホモジニアス配向の液晶を充填すること
により本実施形態に係る液晶表示パネル１０Ａが得られる。なお、アレイ基板ＡＲとカラ
ーフィルター基板ＣＦとの間の距離は、両基板の何れかに形成された柱状スペーサ（図示
省略）によって一定となるように維持されている。
【００３８】
上述の構成により、各サブ画素１１では、ＴＦＴがＯＮ状態になると、下電極２０と上
電極２３との間に電界が発生し、液晶層ＬＣの液晶分子の配向が変化する。これにより、
液晶層ＬＣの光透過率が変化してＦＦＳモードで画像を表示することとなる。また、下電
極２０と上電極２３が電極間絶縁膜２２を挟んで対向する領域は、補助容量を形成し、Ｔ
ＦＴがＯＦＦ状態になったときに下電極２０と上電極２３との間の電界を所定時間保持す
る。
【００３９】
次に図１Ａの非表示領域（図１Ａに示される表示領域ＤＡ以外の領域）における上電極
２３とコモン線１３Ａの配線について、図６を用いて説明する。非表示領域にはドライバ
ーＩＣ（図示省略）が接続される複数の端子を有するドライバー端子部３１と、外部のコ
ントローラと接続されるフレキシブルプリント基板（図示省略）が接続される複数の端子
を有するフレキシブルプリント基板端子部３２と、走査線１２、コモン線１３Ａ、信号線
１４をドライバー端子部３１やフレキシブルプリント基板端子部３２へと導くそれぞれの
引き回し配線が形成されている第１配線部３３と、上電極２３をドライバー端子部３１や
フレキシブルプリント基板端子部３２へと導く引き回し配線が形成されている第２配線部
３４を有している。
【００４０】
表示領域ＤＡの全サブ画素に跨って形成され、共通電極として作動する上電極２３は、
図６Ａに示されているように、電極間絶縁膜２２、層間樹脂膜１９、パッシベーション膜
１８及びゲート絶縁膜１６を貫通するように形成されたコンタクトホール３７を介して、
第２配線部３４のコモン引き回し配線ＣＯＭに接続されている。なお、非表示領域では層
間樹脂膜１９を形成せずに、電極間絶縁膜２２、パッシベーション膜１８及びゲート絶縁
膜１６を貫通するようにコンタクトホールを形成し、上電極２３と第２配線部３４のコモ
ン引き回し配線ＣＯＭとを接続するようにしてもよい。
【００４１】
また、図６Ｂに示されているように、コモン線１３Ａは、走査線１２上に位置するゲー
ト絶縁膜１６に形成されたコンタクトホール３８を介して、信号線１４と同じ材料で形成
されたブリッジ電極４０に接続されている。このブリッジ電極４０は、コモン引き回し配
線ＣＯＭ上に位置するゲート絶縁膜１６に形成されたコンタクトホール３９を介して、コ
モン引き回し配線ＣＯＭに接続されている。したがって、コモン線１３Ａは、走査線１２
の引き回し配線４１とは電気的に絶縁された状態で、ブリッジ電極４０によって第２配線
部３４のコモン引き回し配線ＣＯＭに接続された状態となる。
【００４２】
このようにして、本実施形態の共通電極として作動する上電極２３は、非表示領域にお
いてコモン引き回し配線ＣＯＭに接続されているだけでなく、表示領域ＤＡにおいてもア
ルミニウムやモリブデン等の金属からなる抵抗の低い材料からなるコモン線１３Ａによっ
てもコモン引き回し配線ＣＯＭに接続されているので、抵抗は低くなる。これにより、中
型ないし大型のＦＦＳモードの液晶表示装置であっても、従来例のような共通電極の高抵
抗に起因するフリッカーやクロストークなどの特性不良を低減することができるようにな
る。
【００４３】
［第２実施形態］
次に、第２実施形態の液晶表示パネル１０Ｂを、図７及び図８を用いて説明する。なお
、第２実施形態の液晶表示パネル１０Ｂにおいては、第１実施形態の液晶表示パネル１０
Ａと構成が同一の部分については同一の参照符号を付与し、添え字がある参照符号につい
ては添え字を「Ｂ」に変え、その詳細な説明は省略する。第２実施形態の液晶表示パネル
１０Ｂと第１実施形態の液晶表示パネル１０Ａの構成が相違する主な点は、スリット状開
口２５Ｂの形状とコモン線１３Ｂの配置である。
【００４４】
第２実施形態の液晶表示パネル１０Ｂは、図７に示すように、上電極２３に信号線１４
の延在方向に延在する「く」字状のスリット状開口２５Ｂが等間隔で複数本形成されてい
る。サブ画素１１は縦長であるため、スリット状開口を横方向に延在させるとスリット状
開口の両端の数が多くなる。このスリット状開口の端部は液晶分子の異常配向領域となる
ため、開口率の低下に繋がる。そこで、第２実施形態の液晶表示パネル１０Ｂでは、スリ
ット状開口２５Ｂの延在方向を縦方向にすることにより、スリット状開口２５Ｂの端部の
数を少なくし、開口率の低下を低減している。
【００４５】
この場合、ラビング処理の方向は信号線１４の延在方向と同じ列方向となる。「く」字
状のスリット状開口２５Ｂの延在方向はラビング処理の方向に対して＋５度及び−５度傾
斜している。全てのスリット状開口２５Ｂをラビング処理の方向に対して時計方向あるい
は反時計方向のいずれか一方向のみに傾くようにすると、液晶分子が一方向にねじれるた
め、視角方向によって色が変化する現象が現れる。これは、液晶分子を見る方向によって
見かけのリタデ−ションが変化するためである。これを低減するために、第２の実施形態
の液晶表示パネル１０Ｂでは、スリット状開口２５Ｂの延在方向が時計方向に対して＋５
度傾くドメインと−５度傾くドメインを設けている。なお、ここでは、信号線１４もスリ
ット状開口２５Ｂに沿って「く」字状になっている例を示したが、信号線１４は直線状と
なるようにしてもよい。
【００４６】
図７に示すように、第２実施形態の液晶表示パネル１０Ｂのコモン線１３Ｂはスリット
状開口２５Ｂの屈曲部に形成されている。これに伴って、コモン線１３Ｂと上電極２３の
接続用の第２コンタクトホール２４Ｂもスリット状開口２５Ｂの屈曲部に形成されている
。これにより、液晶分子の回転方向が互いに異なる２種類のスリット状開口の領域の境界
で発生するディスクリネーションを不透明なコモン線１３Ｂで遮光することができるよう
になる。
【００４７】
また、図８Ａ及び図８Ｂに示すように、第２コンタクトホール２４Ｂにおいては、ソー
ス電極Ｓと同一工程でアルミニウムやモリブデン等の金属からなる中継端子３５Ｂが平面
視でコモン線１３Ｂと重畳して形成されている。そして、第２実施形態の第２コンタクト
ホール２４Ｂは、中継端子３５Ｂがゲート絶縁膜１６を貫通して下層側の接続部Ａ２でコ
モン線１３Ｂと電気的に接続されていると共に、上電極２３が電極間絶縁膜２２、下電極
２０、層間樹脂膜１９及びパッシベーション膜１８を貫通して上層側の接続部Ｂ２で中継
端子３５Ｂと電気的に接続されている。
【００４８】
接続部Ａ２と接続部Ｂ２は平面視で重畳している。一般に、コンタクトホールの側壁面
は、垂直ではなく、傾斜するのでコンタクトホールの深さが深いほどコンタクトホールが
大きくなって開口率が減少することになる。しかしながら、第２実施形態の液晶表示パネ
ル１０Ｂのように、中継端子３５Ｂを設けてコンタクトホールを２段にすると、第２コン
タクトホール２４Ｂによる開口率の減少を低減することができる。特に、コンタクトホー
ル２４Ｂが厚膜の層間樹脂膜１９を貫通するときは、コンタクトホール２４Ｂの幅を小さ
くする効果が顕著に表れる。なお、中継端子３５Ｂを複数設けて、中継端子３５Ｂの段数
をより多くしてもよい。
【００４９】
第２実施形態の液晶表示パネル１０Ｂでは、図８Ａに示すように、表示領域の第２コン
タクトホール２４Ｂの凹部の行方向の最大幅Ｗ５よりもコモン線１３Ｂの行方向の幅Ｗ６
及び中継端子３５Ｂの幅Ｗ７の方が広く（Ｗ５<Ｗ６、Ｗ５<Ｗ７）なっている。更に、図
８Ｂに示すように、表示領域の第２コンタクトホール２４Ｂの列方向の凹部の最大幅Ｗ８
よりもコモン線１３Ｂの列方向の幅Ｗ９及び中継端子３５Ｂの幅Ｗ１０の方が広く（Ｗ８
<Ｗ９、Ｗ８<Ｗ１０）なっている。
【００５０】
このように、第２実施形態の液晶表示パネル１０Ｂにおいては、コモン線１３Ｂと中継
端子３５Ｂを合わせた不透明な領域が平面視で第２コンタクトホール２４Ｂの凹部を被覆
するように形成されているので、第２コンタクトホール２４Ｂの凹部による配向不良が形
成される領域を遮光することができるようになる。また、幅広の不透明なコモン線１３Ｂ
や中継端子３５Ｂで、液晶分子の回転方向が互いに異なる２種類のスリット状開口の領域
の境界で発生するディスクリネーションを遮光することができるようになる。なお、第２
実施形態の液晶表示パネル１０Ｂにおいても、非表示領域における上電極２３とコモン引
き回し配線ＣＯＭとの間の接続形態及びコモン線１３Ｂとコモン引き回し配線ＣＯＭとの
間の接続状態は、第１実施形態の液晶表示パネル１０Ａの場合と同様である。
【００５１】
［第３実施形態］
次に、第３実施形態の液晶表示パネル１０Ｃを、図９及び図１０Ａを用いて説明する。
第３実施形態の液晶表示パネル１０Ｃにおいては、第２実施形態の液晶表示パネル１０Ｂ
と構成が同一の部分については同一の参照符号を付与し、添え字がある参照符号について
は添え字を「Ｃ」に変え、その詳細な説明は省略する。第３実施形態の液晶表示パネル１
０Ｃと第２実施形態の液晶表示パネル１０Ｂの構成が相違する主な点は、スリット状開口
２５Ｃと第２コンタクトホール２４Ｃ部分である。
【００５２】
図９に示すように、第３実施形態の液晶表示パネル１０Ｃのラビング処理の方向は走査
線１２の延在方向(行方向)となる。サブ画素の上方のスリット状開口２５Ｃの延在方向は
ラビング処理の方向に対して時計方向に−５度傾き、サブ画素の下方のスリット状開口２
５Ｃの延在方向はラビング処理の方向に対して時計方向に＋５度傾いている。このように
、液晶分子の回転方向がサブ画素の上下によって異なる２つの領域がある。そして、第３
実施形態の液晶表示パネル１０Ｃのコモン線１３Ｃは液晶分子の回転方向が互いに異なる
２つの領域の境界に設けられている。これにより、第３実施形態の液晶表示パネル１０Ｃ
は液晶分子の回転方向が互いに異なる２種類のスリット状開口の領域の境界で発生するデ
ィスクリネーションを不透明なコモン線１３Ｃで遮光することができる。
【００５３】
また、図１０Ａに示すように、第３実施形態の液晶表示パネル１０Ｃには第２実施形態
の液晶表示パネル１０Ｂと同様に、ソース電極Ｓと同一工程でアルミニウムやモリブデン
等の不透明な金属からなる中継端子３５Ｃが平面視でコモン線１３Ｃと重畳して形成され
ている。そして、第３実施形態の第２コンタクトホール２４Ｃは、中継端子３５Ｃがゲー
ト絶縁膜１６を貫通し下層側の接続部Ａ３でコモン線１３Ｃと電気的に接続されていると
共に、上電極２３が電極間絶縁膜２２、下電極２０、層間樹脂膜１９とパッシベーション
膜１８を貫通して上層側の接続部Ｂ３で中継端子３５Ｃと電気的に接続されている。ここ
で、第２実施形態の接続部Ａ２と接続部Ｂ２とは平面視で重畳しているが、第３実施形態
の接続部Ａ３と接続部Ｂ３とは平面視で重畳していない点が異なる。第３実施形態の液晶
表示パネル１０Ｃは第２実施形態の液晶表示パネル１０Ｂと同様に、第２コンタクトホー
ル２４Ｃによる開口率の減少を低減する効果を有している。
【００５４】
図１０Ａに示すように、第３実施形態の液晶表示パネル１０Ｃは第２実施形態の液晶表
示パネル１０Ｂと同様に、このようにコモン線１３Ｃと中継端子３５Ｃを合わせた不透明
な領域が平面視で第２コンタクトホール２４Ｃの凹部を覆うように形成されているので、
第２コンタクトホール２４Ｃの凹部による配向不良発生領域を遮光することができる。ま
た、コモン線１３Ｃと中継端子３５Ｃを合わせた不透明な領域で、液晶分子の回転方向が
互いに異なる２種類のスリット状開口の領域の境界で発生するディスクリネーション発生
領域を遮光することができる。なお、第３実施形態の液晶表示パネル１０Ｃにおいても、
非表示領域における上電極２３とコモン引き回し配線ＣＯＭとの間の接続形態及びコモン
線１３Ｂとコモン引き回し配線ＣＯＭとの間の接続状態は、第１実施形態の液晶表示パネ
ル１０Ａの場合と同様である。
【００５５】
［第４実施形態］
次に、第４実施形態の液晶表示パネル１０Ｄを、図１０Ｂを用いて説明する。なお、第
４実施形態の液晶表示パネル１０Ｄにおいては、第３実施形態の液晶表示パネル１０Ｃと
構成が同一の部分については同一の参照符号を付与し、添え字がある参照符号については
添え字を「Ｄ」に変え、その詳細な説明は省略する。第４実施形態の液晶表示パネル１０
Ｄと第３実施形態の液晶表示パネル１０Ｃの構成が相違する主な点は、上層側の接続部Ｂ
４と下層側の接続部Ａ４の位置関係である。
【００５６】
図１０Ｂに示すように、第４実施形態の液晶表示パネル１０Ｄでは下層側の接続部Ａ４
と上層側の接続部Ｂ４は平面視で一部が重なってずれている。このような第４実施形態の
液晶表示パネル１０Ｄでも、第３実施形態の液晶表示パネル１０Ｃと同様に、第２コンタ
クトホール２４Ｄによる開口率の減少を低減する効果や、液晶分子の回転方向が互いに異
なる２種類のスリット状開口の領域の境界で発生するディスクリネーション発生部分を遮
光する効果を有する。なお、図１０Ｂに示すように、第４実施形態の液晶表示パネル１０
Ｄでは上側の接続部Ｂ４の側面に下側の接続部Ａ４が平面視で一部重なるために上側の接
続部Ｂ４の底部に凹部ができている。この凹部は上電極２３の膜切れが生じ易い。これに
対して、下層側の接続部Ａ３と上層側の接続部Ｂ３が重畳していない第３実施形態の液晶
表示パネル１０Ｃの場合には、上側の接続部Ｂ４の底部に凹部が形成されることがないの
で膜切れが生じ難い。
【００５７】
［第５実施形態］
次に、第５実施形態の液晶表示パネル１０Ｅを、図１１を用いて説明する。なお、第５
実施形態の液晶表示パネル１０Ｅにおいては、第３実施形態の液晶表示パネル１０Ｃと構
成が同一の部分については同一の参照符号を付与し、添え字がある参照符号については添
え字を「Ｅ」に変え、その詳細な説明は省略する。第５実施形態の液晶表示パネル１０Ｅ
と第３実施形態の液晶表示パネル１０Ｃの構成が相違する主な点は、スリット状開口２５
Ｅの形状である。
【００５８】
図１１に示すように、第５実施形態の液晶表示パネル１０Ｅのスリット状開口２５Ｅは
「く」字を９０度回転させた「ヘ」字状に形成されている。したがって、ラビング処理の
方向は走査線１２の延在方向（行方向）となる。そして、第２コンタクトホール２４Ｅが
「ヘ」字状のスリット状開口２５Ｅの屈曲部に近接して（図１１のＥ部）形成されている
。これにより、第３実施形態の液晶表示パネル１０Ｃと同様に、コモン線１３Ｅと中継端
子３５Ｅを合わせた不透明な領域で、液晶分子の回転方向が互いに異なる２種類のスリッ
ト状開口の領域の境界で発生するディスクリネーション発生部分を遮光することができる
ようになる。
【００５９】
なお、上述の実施形態の共通電極として作動するのは上電極であったが、上記特許文献
２の図７、図８に示されるように、下電極が共通電極として作動する液晶表示パネルにお
いても共通電極を表示領域の全サブ画素に跨って形成することができるので、下電極が共
通電極として作動する液晶表示パネルにも本発明を適用することができる。また、表示領
域ＤＡ内で共通電極とコモン線とを接続する上述の第２コンタクトホールは、表示領域内
の全サブ画素に設けても良く、一部のサブ画素に設けてもよい。また、第２コンタクトホ
ールを分割する中継端子は工数の増加とならないようにソース電極と同一工程で形成され
たが、これに限定するものではなく、ソース電極とは別の工程で形成されてもよい。また
、中継端子を複数設けて３段以上のコンタクトホールに第２コンタクトホールを分割して
もよい。
【符号の説明】
【００６０】
１０Ａ〜１０Ｅ：液晶表示パネル  １１：サブ画素  １２：走査線  １３Ａ〜Ｅ：コモ
ン線  １４：信号線  １５：第１透明基板  １６：ゲート絶縁膜  １７：半導体層  １８
：パッシベーション膜  １９：層間樹脂膜  ２０：下電極  ２１：第１コンタクトホール
２２：電極間絶縁膜  ２３：上電極  ２４Ａ〜２４Ｅ：第２コンタクトホール  ２５Ａ
〜２５Ｅ：スリット状開口  ２７：第２透明基板  ２８：遮光層  ２９：カラーフィルタ
ー層  ３０：オーバーコート層  ３１：ドライバー端子部  ３２：フレキシブルプリント
基板端子部  ３３：第１配線部  ３４：第２配線部  ３５Ｂ〜３５Ｅ：中継端子  Ａ１〜
Ａ４、Ｂ１〜Ｂ４：接続部  ＡＲ：アレイ基板  ＣＦ：カラーフィルター基板  Ｄ：ドレ
イン電極  ＳＬ：シール材  Ｇ：ゲート電極  ＬＣ：液晶層  Ｓ：ソース電極  ＴＦＴ：
薄膜トランジスター
【図１】
0005500712.tif 000002
【図２】
0005500712.tif 000003
【図３】
0005500712.tif 000004
【図４】
0005500712.tif 000005
【図５】
0005500712.tif 000006
【図６】
0005500712.tif 000007
【図７】
0005500712.tif 000008
【図８】
0005500712.tif 000009
【図９】
0005500712.tif 000010
【図１０】
0005500712.tif 000011
【図１１】
0005500712.tif 000012